【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
複数の通信インタフェースを有する通信装置であって、
第１の通信インタフェースに接続された第１の通信装置からのデータに応じて当該第１の通信装置との通信を抑制する抑制手段と、
第２の通信インタフェースによる第２の通信装置との通信を確立する確立手段と、
前記第２の通信装置との通信が確立した後に、前記第１の通信装置との通信抑制を解除する解除手段と、
前記第１の通信インタフェース及び前記第２の通信インタフェースを介して前記第１の通信装置と前記第２の通信装置との間のデータ通信を中継する中継手段と、
を有することを特徴とする通信装置。
【請求項２】
前記第１の通信インタフェースを介して前記第１の通信装置から送信されるデータの種別に応じて前記抑制手段を起動するか否かを決定する決定手段を更に有することを特徴とする請求項１記載の通信装置。
【請求項３】
前記第１の通信インタフェースで接続された通信装置の種別に応じて前記抑制手段を起動するか否かを決定する決定手段を更に有することを特徴とする請求項１記載の通信装置。
【請求項４】
前記抑制手段を起動しなかった場合と、前記抑制手段を起動した場合とで、異なる動作モードでの動作に移行する移行手段とを更に有することを特徴とする請求項２又は３記載の通信装置。
【請求項５】
前記抑制手段を起動しなかった場合には、前記第２の通信インタフェースによる前記第２の通信装置との通信を確立しないことを特徴とする請求項４記載の通信装置。
【請求項６】
前記第２の通信インタフェースによる前記第２の通信装置との通信を確立できない場合には、前記第１の通信装置との通信を抑制した状態で前記第２の通信インタフェース及び前記通信装置の制御部を低消費電力で動作させ、かつ、所定の時間の後に前記低消費電力での動作を解除し、前記第２の通信インタフェースによる前記第２の通信装置との通信を確立することを特徴とする請求項１乃至５の何れか一項記載の通信装置。
【請求項７】
複数の通信インタフェースを有する通信装置であって、
第１の通信インタフェースに接続された第１の通信装置からのデータに応じて当該第１の通信装置との通信を抑制する抑制手段と、
第２の通信インタフェースによる第２の通信装置との通信を確立する確立手段と、
前記第２の通信装置との通信が確立した後に、前記第１の通信装置との通信抑制を解除する解除手段と、
前記第２の通信インタフェースによる前記第２の通信装置との通信状態を識別する識別手段と、
前記通信状態が通信中でない状態で、第３の通信インタフェースにより第３の通信装置が接続された場合には、前記第２の通信インタフェースによるサービスが停止したことを前記第２の通信インタフェースを介して他の通信装置に通知する通知手段とを有し、
前記第１の通信装置との通信を抑制し、また前記第２の通信インタフェースが前記第２の通信装置と通信中の場合には、前記第３の通信インタフェースに前記第３の通信装置が接続されたことを認識したとしても、前記第２の通信装置との通信が完了するまでは前記第３の通信インタフェースを有効にしないことを特徴とする通信装置。
【請求項８】
複数の通信インタフェースを有する通信装置であって、
第１の通信インタフェースに接続された第１の通信装置からのデータに応じて当該第１の通信装置との通信を抑制する抑制手段と、
第２の通信インタフェースによる第２の通信装置との通信を確立する確立手段と、
前記第２の通信装置との通信が確立した後に、前記第１の通信装置との通信抑制を解除する解除手段と、
前記第２の通信インタフェースによる前記第２の通信装置との通信状態を識別する識別手段と、
前記通信状態が通信中でない状態で、第３の通信インタフェースにより第３の通信装置が接続された場合には、前記第２の通信インタフェースによるサービスがビジー状態になったことを前記第２の通信インタフェースを介して前記第２の通信装置に通知する通知手段と、
を有することを特徴とする通信装置。
【請求項９】
前記抑制手段は、前記第１の通信インタフェースによる通信を抑制するために前記第１の通信インタフェースを利用できなくする、或いは前記第１の通信装置から要求された信号に対する応答により前記第１の通信装置の動作を停止させる、或いは前記第１の通信インタフェースを介して前記第１の通信装置から要求された信号に対する応答を保留して所定の時間、返さないの何れかを含むことを特徴とする請求項１乃至８の何れか一項記載の通信装置。
【請求項１０】
通信インタフェースを有する通信装置の通信方法であって、
第１の通信インタフェースに接続された第１の通信装置からのデータに応じて当該第１の通信装置との通信を抑制する工程と、
第２の通信インタフェースによる第２の通信装置との通信を確立する工程と、
前記第２の通信装置との通信が確立した後に、前記第１の通信装置との通信抑制を解除する工程と、
前記第１の通信インタフェース及び前記第２の通信インタフェースを介して前記第１の通信装置と前記第２の通信装置との間でデータ通信を行う工程と、
を有することを特徴とする通信装置の通信方法。
【請求項１１】
請求項１０記載の通信装置の通信方法をコンピュータに実行させるためのプログラム。
【請求項１２】
請求項１１記載のプログラムを記録したコンピュータにより読み取り可能な記録媒体。
【手続補正２】
【補正対象書類名】明細書
【補正対象項目名】００１２
【補正方法】変更
【補正の内容】
【００１２】
本発明は、複数の通信インタフェースを有する通信装置であって、第１の通信インタフェースに接続された第１の通信装置からのデータに応じて当該第１の通信装置との通信を抑制する抑制手段と、第２の通信インタフェースによる第２の通信装置との通信を確立する確立手段と、前記第２の通信装置との通信が確立した後に、前記第１の通信装置との通信抑制を解除する解除手段と、前記第１の通信インタフェース及び前記第２の通信インタフェースを介して前記第１の通信装置と前記第２の通信装置との間のデータ通信を中継する中継手段とを有することを特徴とする。
【手続補正３】
【補正対象書類名】明細書
【補正対象項目名】００１３
【補正方法】変更
【補正の内容】
【００１３】
また、本発明は、複数の通信インタフェースを有する通信装置であって、第１の通信インタフェースに接続された第１の通信装置からのデータに応じて当該第１の通信装置との通信を抑制する抑制手段と、第２の通信インタフェースによる第２の通信装置との通信を確立する確立手段と、前記第２の通信装置との通信が確立した後に、前記第１の通信装置との通信抑制を解除する解除手段と、前記第２の通信インタフェースによる前記第２の通信装置との通信状態を識別する識別手段と、前記通信状態が通信中でない状態で、第３の通信インタフェースにより第３の通信装置が接続された場合には、前記第２の通信インタフェースによるサービスが停止したことを前記第２の通信インタフェースを介して他の通信装置に通知する通知手段とを有し、前記第１の通信装置との通信を抑制し、また前記第２の通信インタフェースが前記第２の通信装置と通信中の場合には、前記第３の通信インタフェースに前記第３の通信装置が接続されたことを認識したとしても、前記第２の通信装置との通信が完了するまでは前記第３の通信インタフェースを有効にしないことを特徴とする。
【手続補正４】
【補正対象書類名】明細書
【補正対象項目名】００１４
【補正方法】変更
【補正の内容】
【００１４】
更に、本発明は、複数の通信インタフェースを有する通信装置であって、第１の通信インタフェースに接続された第１の通信装置からのデータに応じて当該第１の通信装置との通信を抑制する抑制手段と、第２の通信インタフェースによる第２の通信装置との通信を確立する確立手段と、前記第２の通信装置との通信が確立した後に、前記第１の通信装置との通信抑制を解除する解除手段と、前記第２の通信インタフェースによる前記第２の通信装置との通信状態を識別する識別手段と、前記通信状態が通信中でない状態で、第３の通信インタフェースにより第３の通信装置が接続された場合には、前記第２の通信インタフェースによるサービスがビジー状態になったことを前記第２の通信インタフェースを介して前記第２の通信装置に通知する通知手段とを有することを特徴とする。